(57)【特許請求の範囲】
【請求項１】
フィルタ頭部（３００）の内面（３１６）に取り外し可能に結合されたフィルタ組立品（１００）であって、
口部（１１６）を画成するフィルタ本体部（１１０）と、
前記フィルタ本体部（１１０）内に配置されたフィルタエレメント（１２０）と、
前記口部（１１６）上に配置されており、中心軸を画成するシール本体部（２１０）を有するシール（２００）と、を備え、
前記シール本体部（２１０）は、前記中心軸に垂直な軸方向面（２１２）と、前記中心軸の周りの周回状の外側環状面（２１６）と、を有し、前記軸方向面（２１２）は、前記フィルタ頭部（３００）の対応する軸方向面と第１のシール面を形成し、前記外側環状面（２１６）の一部は、実質的な切頭円錐形を画成し、対応する切頭円錐形を有する前記フィルタ頭部（３００）の前記内面（３１６）と対応且つ対面し、前記外側環状面（２１６）の一部は、前記フィルタ頭部（３００）の前記内面（３１６）と第２のシール面を形成する、
ことを特徴とするフィルタ組立品（１００）。
【請求項２】
前記中心軸の周りの前記外側環状面（２１６）の半径は、前記軸方向面（２１２）の平面から前記中心軸に沿って閾半径まで増加する、請求項１に記載のフィルタ組立品（１００）。
【請求項３】
前記中心軸の周りの前記外側環状面（２１６）の半径は、前記閾半径に達した後に前記中心軸に沿って減少する、請求項２に記載のフィルタ組立品（１００）。
【請求項４】
前記フィルタ本体部（１１０）は実質的な円筒形を画成するとともに第１及び第２の対向する端部（１１２，１１４）を有し、前記第１の端部（１１２）は前記口部（１１６）を画成する、請求項１に記載のフィルタ組立品（１００）。
【請求項５】
前記口部（１１６）の上に配置されたカバー（１３０）を更に備え、前記シール本体部（２１０）は前記フィルタ本体部（１１０）の口部の縁部（１１８）と前記カバー（１３０）とのうち少なくとも１つに受けられる溝（２２４）を画成する、請求項１に記載のフィルタ組立品（１００）。
【請求項６】
前記フィルタ本体部（１１０）内に配置され、前記口部（１１６）に向けて前記フィルタエレメント（１２０）を付勢する付勢要素（１４０）を更に備える、請求項５に記載のフィルタ組立品（１００）。
【請求項７】
前記フィルタ本体部（１１０）内に配置され、前記付勢要素（１４０）の反対側の前記フィルタエレメント（１２０）の少なくとも一部を支持するように配置されたフィルタ支持部（１５０）を更に備え、前記付勢要素（１４０）は前記フィルタ支持部（１５０）に対して前記フィルタエレメント（１２０）を付勢する、請求項６に記載のフィルタ組立品（１００）。
【請求項８】
口部（１１６）を画成するフィルタ本体部（１１０）と、
前記フィルタ本体部（１１０）内に配置されたフィルタエレメント（１２０）と、
前記口部（１１６）上に配置されており、中心軸を画成するシール本体部（２１０）を有するシール（２００）と、を備え、
前記シール本体部（２１０）は、前記中心軸に垂直な軸方向面（２１２）と、前記軸方向面（２１２）とともに肩部（２１７）を形成する外側環状面（２１６）と、を有し、前記外側環状面（２１６）の一部は、９０°より大きい角度で前記軸方向面（２１２）から延びており、前記軸方向面（２１２）は、フィルタ頭部（３００）の対応する軸方向面（３１２）と第１のシール面を形成するように構成され、前記外側環状面（２１６）の一部は、前記フィルタ頭部（３００）の内面（３１６）と第２のシール面を形成するように構成される、
ことを特徴とするフィルタ組立品（１００）。
【請求項９】
前記外側環状面（２１６）の一部は、アーチ形と実質的な切頭円錐形とのうち少なくとも１つを画成する、請求項８に記載のフィルタ組立品（１００）。
【請求項１０】
前記フィルタ本体部（１１０）は実質的な円筒形を画成するとともに第１及び第２の対向する端部（１１２，１１４）を有し、前記第１の端部（１１２）は前記口部（１１６）を画成する、請求項８に記載のフィルタ組立品（１００）。
【請求項１１】
前記口部（１１６）の上に配置されたカバー（１３０）を更に備え、前記シール本体部（２１０）は前記フィルタ本体部（１１０）の口部の縁部（１１８）と前記カバー（１３０）とのうち少なくとも１つに受けられる溝（２２４）を画成する、請求項８に記載のフィルタ組立品（１００）。
【請求項１２】
前記フィルタ本体部（１１０）内に配置され、前記口部（１１６）に向けて前記フィルタエレメント（１２０）を付勢する付勢要素（１４０）を更に備える、請求項１１に記載のフィルタ組立品（１００）。
【請求項１３】
前記フィルタ本体部（１１０）内に配置され、前記付勢要素（１４０）の反対側の前記フィルタエレメント（１２０）の少なくとも一部を支持するように配置されたフィルタ支持部（１５０）を更に備え、前記付勢要素（１４０）は前記フィルタ支持部（１５０）に対して前記フィルタエレメント（１２０）を付勢する、請求項１２に記載のフィルタ組立品（１００）。
【請求項１４】
口部（１１６）を画成するフィルタ本体部（１１０）と、
前記フィルタ本体部（１１０）内に配置されたフィルタエレメント（１２０）と、
前記口部（１１６）上に配置されており、中心軸を画成するシール本体部（２１０）を有するシール（２００）と、を備え、
前記シール本体部（２１０）は、互いに対向して配置され前記中心軸に垂直な第１及び第２の軸方向面（２１２，２１４）を有し、前記シール本体部（２１０）は締まり嵌めの溝（２２４）を画成し、前記シール本体部（２１０）は前記中心軸と同心の外側環状面（２１６）を有するとともに９０°より大きい角度で前記第１の軸方向面（２１２）から延びる面を画成し、前記第２の軸方向面（２１４）は前記口部（１１６）に取り付けられており、前記第１の軸方向面（２１２）は、フィルタ頭部（３００）の対応する軸方向面（３１２）と第１のシール面を形成するように構成され、前記外側環状面（２１６）は、前記フィルタ頭部（３００）の内面（３１６）と第２のシール面を形成するように構成される、
ことを特徴とするフィルタ組立品（１００）。
【請求項１５】
前記中心軸の周りの前記外側環状面（２１６）の半径は、前記第１の軸方向面（２１２）の平面から前記中心軸に沿って閾半径まで増加する、請求項１４に記載のフィルタ組立品（１００）。
【請求項１６】
前記中心軸の周りの前記外側環状面（２１６）の半径は、前記閾半径に達した後に前記中心軸に沿って減少する、請求項１５に記載のフィルタ組立品（１００）。
【請求項１７】
前記フィルタ本体部（１１０）は実質的な円筒形を画成するとともに第１及び第２の対向する端部を有し、前記第１の端部は前記口部（１１６）を画成する、請求項１４に記載のフィルタ組立品（１００）。
【請求項１８】
前記口部（１１６）の上に配置されたカバー（１３０）を更に備え、谷形の前記締まり嵌めの溝（２２４）は、前記フィルタ本体部（１１０）の口部（１１６）の縁部と前記カバー（１３０）とのうち少なくとも１つに受けられる、請求項１４に記載のフィルタ組立品（１００）。
【請求項１９】
前記フィルタ本体部（１１０）内に配置され、前記口部（１１６）に向けて前記フィルタエレメント（１２０）を付勢する付勢要素（１４０）を更に備える、請求項１８に記載のフィルタ組立品（１００）。
【請求項２０】
前記フィルタ本体部（１１０）内に配置され、前記付勢要素（１４０）の反対側の前記フィルタエレメント（１２０）の少なくとも一部を支持するように配置されたフィルタ支持部（１５０）を更に備え、前記付勢要素（１４０）は前記フィルタ支持部（１５０）に対して前記フィルタエレメント（１２０）を付勢する、請求項１９に記載のフィルタ組立品（１００）。
【発明の詳細な説明】
【技術分野】
【０００１】
本開示は、スピンオンフィルタに関する。
【背景技術】
【０００２】
一般に、フィルタは、液体の流れから屑のような混入物質を除去するために用いられる。フィルタは、油圧システム、エンジンの潤滑システム及びエンジンの燃料システムに用いられてきた。フィルタは、エンジン油、伝達油、潤滑油、作動油、又は燃料ポンプへの若しくは燃料ポンプからの燃料の供給部から混入物質を除去することができる。自動変速装置及びパワーステアリングにおける油圧システムのような他の車両用油圧システムは、しばしば油フィルタが装備されている。スピンオンフィルタは、典型的には、除去及び交換の前に、使い捨て用のマニホールドにねじで取り付けられている。
【発明の概要】
【課題を解決するための手段】
【０００３】
本開示は、被受け側のフィルタ頭部（例えば、エンジンブロックを取り付ける支持体）と係合するための、少なくとも２つのシール面又はシール接触部を与えるシールを有するフィルタ組立品を提供する。第１のシール面はフィルタ頭部と軸方向に接するように配置されており、第２のシール面はフィルタ頭部と径方向に接するように配置されている。第１のシール面は平ら又はアーチ形であり、他方、第２のシール面はアーチ形及び／又は第１のシール面に対して９０°より大きい角度を有することができる。第２のシール面は、内周シールと同様に、フィルタ頭部内でフィルタ組立品の自己位置を与えることができる。シールは、シール性を与えるために又はフィルタ頭部のわずかな大きさの違いを調整するために、ゴムのような、柔軟な又は弾性を有する材料から製造することができる。
【０００４】
本開示の一態様は、口部と、フィルタ本体部内に配置されたフィルタエレメントと、口部上に配置されたシールと、を画成するフィルタ本体部を含むフィルタ組立品を提供する。シールは、中心軸を画成するシール本体部を有する。シール本体部は、中心軸に垂直な軸方向面と、中心軸の周りの周回状の外側環状面と、を有する。外側環状面の一部は、アーチ形と実質的な切頭円錐形とのうち少なくとも１つを画成する。
【０００５】
ある実施形態では、中心軸の周りの外側環状面の半径は、中心軸に沿った軸方向面の平面から閾半径まで増加する。更に、中心軸の周りの外側環状面の半径は、閾半径に達した後に中心軸に沿って減少してもよい。ある実施例では、フィルタ本体部は実質的な円筒形を画成するとともに第１及び第２の対向する端部を有しており、第１の端部は口部を画成する。
【０００６】
本開示の他の態様は、口部と、フィルタ本体部内に配置されたフィルタエレメントと、口部上に配置されたシールと、を画成するフィルタ本体部を含むフィルタ組立品を提供する。シールは、中心軸を画成するシール本体部を有する。シール本体部は、中心軸に垂直な軸方向面と、軸方向面とともに肩部を形成する外側環状面と、を有する。外側環状面の一部は、９０°より大きい角度で軸方向面から延びる。ある実施形態では、外側環状面の一部は少なくとも１つのアーチ形と実質的な切頭円錐形とを画成する。
【０００７】
本開示の更に他の態様では、フィルタ組立品は、口部と、フィルタ本体部内に配置されたフィルタエレメントと、口部上に配置されたシールと、を画成するフィルタ本体部を含む。シールは、中心軸を画成するシール本体部を有する。シール本体部は、互いに対向して配置され中心軸に垂直な第１及び第２の軸方向面を有する。シール本体部はまた、中心軸と同心であってアーチ形面を画成する外側環状面を有する。第２の軸方向面は口部に取り付けられる。
【０００８】
ある実施形態では、中心軸の周りの外側環状面の半径は、中心軸に沿った軸方向面の平面から閾半径まで増加する。中心軸の周りの外側環状面の半径は、閾半径に達した後に中心軸に沿って減少してもよい。
【０００９】
本開示の実施形態は、以下の特徴の１つ以上を含んでいてもよい。ある実施形態では、フィルタ本体部は実質的な円筒形を画成し、第１及び第２の対向する端部を有しており、第１の端部は口部を画成する。フィルタ組立品は、口部の上に配置されたカバーを含んでいてもよい。シール本体部は、フィルタ本体部の口部の縁部と、カバーと、のうち少なくとも１つに受けられる溝を画成する。ある実施例では、フィルタ本体部内に配置された付勢要素が口部に向けてフィルタエレメントを付勢する。更に、フィルタ支持部は、フィルタ本体部内に配置され、付勢要素の対向する側部上のフィルタエレメントの少なくとも一部を支持するために配置されることができる。付勢要素は、フィルタ支持部に対してフィルタエレメントを付勢する。
【００１０】
本開示の１つ以上の実施形態の詳細は、添付図面及び以下の明細書にて説明される。他の態様、特徴及び利点は、明細書及び図面から、並びに特許請求の範囲から、明らかとなるであろう。
【００１１】
異なる図面における同様の参照符号は同様の要素を示す。
【図面の簡単な説明】
【００１２】
【図１】図１は、実施形態に係るフィルタ組立品の斜視図である。
【図２】図２は、実施形態に係るフィルタ組立品の分解図である。
【図３】図３は、実施形態に係るフィルタ頭部の斜視図である。
【図４】図４は、実施形態に係るフィルタ頭部に結合される、実施形態に係るフィルタ組立品の斜視図である。
【図５】図５は、図４に示されたフィルタ組立品の線５−５に沿った断面図である。
【図６】図６は、実施形態に係るフィルタ組立品用シールの上部斜視図である。
【図７】図７は、図６に示されたシールの下部斜視図である。
【図８】図８は、実施形態に係るフィルタ組立品用シールの側面図である。
【図９】図９は、実施形態に係るフィルタ組立品用シールの側面図である。
【発明を実施するための形態】
【００１３】
図１及び２を参照すると、ある実施形態において、フィルタ組立品１００は、フィルタエレメント１２０を収容するフィルタ本体部１１０（缶として知られてもいる）を含む。フィルタ本体部１１０は、中心軸１１５を画成し、フィルタエレメント１２０を受けるための口部１１６を画成する第１の端部１１２と、第１の端部１１２と対向する第２の端部１１４と、を有する。フィルタ本体部１１０は、実質的な円筒形を画成してもよく、金属、アルミニウム及び／又はプラスチックから形成することができる。フィルタ本体部１１０内のフィルタ１２０を包囲するために、カバー１３０は、口部１１６の上に取り外し可能に配置すること又は恒久的に取り付けることができる。
【００１４】
保持バネのような付勢要素１４０は、フィルタ本体部１１０内でフィルタ支持部１５０に対してフィルタエレメント１２０を保持する。フィルタ支持部１５０は、付勢要素１４０の反対側の、フィルタエレメント１２０の第１の端部１２２を少なくとも支持するように配置される。付勢要素１４０は、フィルタ支持部１５０に対してフィルタエレメント１２０を付勢する。フィルタ支持部１５０は、フィルタ本体部１１０内に配置されてカバー１３０に接していてもよい。付勢要素１４０は、第１の端部１２２と反対側の、フィルタエレメント１２０の第２の端部１２４を支持するために又は第２の端部１２４と係合するために、フィルタ本体部１１０内に配置されていてもよい。付勢要素１４０は、フィルタエレメント１２０をカバー１３０とのシール係合状態に保つことができる。ある実施例では、フィルタ組立品１００は、フィルタ本体部１１０の第１の端部１１２上に配置されフィルタ本体部１１０の内部と流体の伝達をする、バルブ組立品１６０を含む。フィルタ組立品１００は、フィルタ本体部１１０の第１の端部１１２上に配置されたシール２００を含む。シール２００は、例えば図４に示されるように、フィルタ頭部３００（例えば、エンジンブロックを取り付ける支持体）とフィルタ組立品１００との間の接触部３０５をシールする。
【００１５】
図３を参照すると、示された実施例において、フィルタ頭部３００は、内底面３１２と内側壁３１４とを有する取付容器３１０を含む。内底面３１２に配置されたねじ付きニップル３３４は、マニホールド３４０との流体伝達を与える。
【００１６】
図１及び３〜５を参照すると、ある実施形態では、カバー１３０はフィルタ本体部１１０への流体の流れを受けるための穴１３２を画成する。更に、カバー１３０は、フィルタ頭部３００へフィルタ組立品１００を固定する又は取り付けるためのねじ穴１３４を画成してもよい。ねじ穴１３４は、フィルタ頭部３００の対応するねじ付きニップル３３４に受けられることができる。カバー１３０は、打ち抜き、モールド成形又は機械加工されており、フィルタ本体部１１０に組み付けられる。図５に示される実施例において、カバー１３０は、口部１１６の縁部１１８に取り付けられるカバー保持器１３６（例えば、環状の板）によってフィルタ本体部１１０内に保持されている。
【００１７】
図５〜７を参照すると、ある実施形態において、シール２００は、口部１１６の縁部１１８上に、及び／又は、カバー１３０の縁部１３８上に、又は、口部１１６に取り付けられるカバー保持器１３６上に配置されている。シール２００は、中心軸２１５を画成する環状のシール本体部２１０（例えば、リング）を有する。ある実施例では、シール本体部２１０の中心軸２１５は、フィルタ本体部１１０の中心軸１１５と同一直線上に配置されている。シール本体部２１０は、第１の軸方向面２１２と、対向する第２の軸方向面２１４と、外側環状面２１６と、内側環状面２１８と、を有する。第１及び第２の軸方向面２１２，２１４は、実質的に平坦であってもよく、及び／又は、中心軸２１５に垂直な平面内にあってもよい。外側及び内側環状面２１６，２１８は、中心軸２１５と同心であってもよい。
【００１８】
第１の軸方向面２１２は、フィルタ組立品１００とフィルタ頭部３００との間で第１のシール面又は流体伝達を維持するための接触部となることができる。図３及び４を再び参照すると、（例えば、カバーのねじ穴１３４をフィルタ頭部３００の対応するねじ付きニップル３３４にねじ込むことによって、）フィルタ組立品１００がフィルタ頭部３００に受けられるときに、第１の軸方向面２１２はフィルタ頭部３００の対応する軸方向面３１２と係合する。示された実施例では、第１の軸方向面２１２は実質的に平坦な面を画成する。しかしながら、その他の表面形状も同様に可能である。例えば、第１の軸方向面２１２は、アーチ形の面、リブ付きの面又は起伏面を画成してもよい。
【００１９】
図５及び７を参照すると、第２の軸方向面２１４は、口部１１６の縁部１１８のようなフィルタ本体部１１０の第１の端部１１２、及び／又は、口部１１６に取り付けられるカバー１３０の縁部１３８の、少なくとも一部を受けるように構成された環状の溝又はチャンネル（channel）２２４を画成する。溝又はチャンネル２２４は、フィルタ組立品１００上にシール２００を保持又は取り付けるために、フィルタ本体部１１０上に及び／又はカバー１３０上に締まり嵌め又はシール結合をするための大きさとすることができる。ある実施例では、シール２００は、（例えば、ピン、ねじ、リベット等のような接着剤又は締結材で、）フィルタ本体部１１０に及び／又はカバー１３０に取り付けられるか又は貼り付けられる。
【００２０】
図３，４及び６を再び参照すると、（例えば、フィルタ組立品１００とフィルタ頭部３００との間の流体伝達を維持するために、）外側環状面２１６が前記受けられたフィルタ頭部３００との第２のシール面又は接触部を与えることとしてもよい。外側環状面２１６は、フィルタ頭部３００の対応する内側環状面３１６と係合するように構成されている。フィルタ頭部３００の内側環状面３１６が切頭円錐形を画成してもよいように、ある実施形態では、外側環状面２１６が同様に切頭円錐形を画成してもよい。示された実施例において、外側環状面２１６はアーチ形の面を画成する。しかしながら、可変の表面高さを与えるその他の形状も同様に可能である。例えば、外側環状面２１６は面取りされた表面を画成することができる（例えば、図８）。
【００２１】
ある実施形態では、第１の軸方向面２１２は中心軸２１５に垂直に配置されており、外側環状面２１６は第１の軸方向面２１５とともに肩部２１７を形成する。図８に示された実施例では、外側環状面２１６は、９０°より大きい角度θで第１の軸方向面２１２から離れる方向に延びている。例えば、外側環状面２１６の一部は、実質的な切頭円錐形を画成することができる。加えて、外側環状面２１６の一部は、曲面形状を画成することができる。
【００２２】
ある実施形態では、図９に示される実施例のように、中心軸２１５の周りの外側環状面２１６の半径Ｒは、中心軸２１５に沿って第１の軸方向面２１２の平面から閾半径ＲＴまで増加し、それから閾半径ＲＴに達した後に中心軸２１５に沿って減少してもよい。外側環状面２１６の半径Ｒ（即ち、環状面２１６上の任意の点での中心軸２１５から環状面２１６までの距離）を変化させることによって、異なる表面形状及び外形を実現するように、環状面２１６の側部形状又は表面ジオメトリが中心軸２１５の方向に沿って変化する。これは、例えば、アーチ形の又は面取りされた外側環状面２１６を与えることとしてもよい。
【００２３】
シール２００は、ゴム、コルク、発泡材、又は液密の接触部を与えることが可能なその他の材料のような適合した材料からモールド成形され、機械加工され又はその他で形成されてもよい。
【００２４】
第１の軸方向面２１２及び外側環状面２１６は、受けられたフィルタ頭部３００と係合する少なくとも２つのシール面を与える。この２重のシール配置は、１重のシールよりも比較的厳重なシール及び漏洩防止を与える。更に、アーチ形の又は面取りされた外側環状面２１６を用いる実施例において、外側環状面２１６はフィルタ頭部３００内でシール２００を自己配置させることとしてもよく、フィルタ組立品１００とフィルタ頭部３００との間の種々の寸法的干渉を調整するために、及び／又は、それらの間のシール係合を与えるために、弾性変形することとしてもよい。２重のシール配置はまた、フィルタ頭部３００からフィルタ組立品１００への振動の減衰を与える。
【００２５】
多くの実施形態が説明された。それにもかかわらず、本開示の精神及び範囲から逸脱することなく種々の変更がなされてもよいことが理解されるだろう。従って、その他の実施形態は、以下の特許請求の範囲の範囲内である。
【図１】
0005839413.tif 000002
【図２】
0005839413.tif 000003
【図３】
0005839413.tif 000004
【図４】
0005839413.tif 000005
【図５】
0005839413.tif 000006
【図６】
0005839413.tif 000007
【図７】
0005839413.tif 000008
【図８】
0005839413.tif 000009
【図９】
0005839413.tif 000010